(57)【特許請求の範囲】
【請求項１】
各々の機能に対応する一つ以上の画像が表示可能な表示領域を含み、前記表示領域の第１サイドから第２サイドへの方向に移動可能であり前記表示領域を第１表示領域と第２表示領域とに区分する区分境界線を表示することが可能な表示部と、
前記区分境界線の位置を変えるための第１ユーザ入力と前記画像の一つに対応する前記機能の一つを開始するための第２ユーザ入力とを受け付けることが可能な前記表示領域上のタッチパネルと、
前記第１ユーザ入力に応えて前記区分境界線を前記表示領域における新たな位置に移動することが可能であるとともに、前記区分境界線が前記一つ以上の画像のうちの何れか一つ以上の上を移動している間は、何れの前記機能も実行しない制御部と、
を備えることを特徴とする表示機能付き携帯電子装置。
【請求項２】
請求項１に記載の表示機能付き携帯電子装置において、
前記制御部は、さらに、前記区分境界線が前記表示領域の前記第２サイドに到達した結果前記第１表示領域が前記表示領域の全てを占めるときに、何れの前記第２ユーザ入力にも応えず何れの前記機能も実行しないように、前記一つ以上の画像を無効にさせる、
ことを特徴とする表示機能付き携帯電子装置。
【請求項３】
請求項１に記載の表示機能付き携帯電子装置において、
前記一つ以上の画像のうち少なくとも一つは、テキストを含む、
ことを特徴とする表示機能付き携帯電子装置。
【請求項４】
請求項１に記載の表示機能付き携帯電子装置において、
前記第１表示領域は、画像、テキスト、映像および映画の少なくとも一つを表示することが可能である、
ことを特徴とする表示機能付き携帯電子装置。
【請求項５】
請求項４に記載の表示機能付き携帯電子装置において、
前記第１表示領域は、時刻、バッテリーレベルおよび無線信号レベルの少なくとも一つを表示することが可能である、
ことを特徴とする表示機能付き携帯電子装置。
【請求項６】
各々の機能に対応する一つ以上の画像が表示可能な表示領域を含む表示部に、前記表示領域の第１サイドから第２サイドへの方向に移動可能であり前記表示領域を第１表示領域と第２表示領域とに区分する区分境界線を表示させるステップと、
前記区分境界線の位置を変えるための第１ユーザ入力と前記画像の一つに対応する前記機能の一つを開始するための第２ユーザ入力とを受け付けることが可能な前記表示領域上のタッチパネルにより、何れかのユーザ入力を受け付けるステップと、
前記第１ユーザ入力に応えて前記区分境界線を前記表示領域における新たな位置に移動させるステップと、
前記区分境界線が前記一つ以上の画像のうちの何れか一つ以上の上を移動している間は、何れの前記機能も実行しないステップと、
を含むことを特徴とする表示機能付き携帯電子装置の制御方法。
【発明の詳細な説明】
【技術分野】
【０００１】
本発明は、表示機能付き携帯電子装置に関し、特に、携帯電話機やＰＤＡ（Personal Digital Assistant）等の携帯端末装置に用いて好適なものである。
【背景技術】
【０００２】
近年、携帯電話機やＰＤＡ等の携帯端末装置において、ディスプレイ面上にタッチパネルを配し、ディスプレイ面に表示した操作キーを、ユーザが指やタッチペンで押すことによって、種々の操作が行えるものが増えつつある。
【０００３】
しかしながら、タッチパネルは弱い押圧にも反応するため、利用者の意図しない操作を受け付けやすい。このため、機器が誤作動しやすいという問題があった。
【０００４】
このような問題を解決するため、タッチパネルによる操作領域内に入力部（操作キー）の入力を有効とするか無効とするかを切替えるスチッチ部を設け、このスイッチ部により無効操作がなされると、入力部に対する入力を無効にする入出力装置が、たとえば、特許文献１に開示されている。
【先行技術文献】
【特許文献】
【０００５】
【特許文献１】特開平０８−７６９２５号公報
【発明の概要】
【発明が解決しようとする課題】
【０００６】
本発明は、区分境界線が移動しているときに、間違った操作が受け付けられるのを防止できる表示機能付き携帯電子装置を提供することを目的とする。
【課題を解決するための手段】
【０００７】
上記課題に鑑み本発明は、以下の特徴を有する。
【０００８】
本発明の第１の態様に係る表示機能付き携帯電子装置は、各々の機能に対応する一つ以上の画像が表示可能な表示領域を含み、前記表示領域の第１サイドから第２サイドへの方向に移動可能であり前記表示領域を第１表示領域と第２表示領域とに区分する区分境界線を表示することが可能な表示部と、前記区分境界線の位置を変えるための第１ユーザ入力と前記画像の一つに対応する前記機能の一つを開始するための第２ユーザ入力とを受け付けることが可能な前記表示領域上のタッチパネルと、前記第１ユーザ入力に応えて前記区分境界線を前記表示領域における新たな位置に移動することが可能であるとともに、前記区分境界線が前記一つ以上の画像のうちの何れか一つ以上の上を移動している間は、何れの前記機能も実行しない制御部と、を備えることを特徴とする。
【０００９】
本発明の第２の態様に係る表示機能付き携帯電子機器の制御方法は、各々の機能に対応する一つ以上の画像が表示可能な表示領域を含む表示部に、前記表示領域の第１サイドから第２サイドへの方向に移動可能であり前記表示領域を第１表示領域と第２表示領域とに区分する区分境界線を表示させるステップと、前記区分境界線の位置を変えるための第１ユーザ入力と前記画像の一つに対応する前記機能の一つを開始するための第２ユーザ入力とを受け付けることが可能な前記表示領域上のタッチパネルにより、何れかのユーザ入力を受け付けるステップと、前記第１ユーザ入力に応えて前記区分境界線を前記表示領域における新たな位置に移動させるステップと、前記区分境界線が前記一つ以上の画像のうちの何れか一つ以上の上を移動している間は、何れの前記機能も実行しないステップと、を含む。
【発明の効果】
【００１０】
本発明の一態様によれば、区分境界線が移動しているときに、間違った操作が受け付けられるのを防止できる。
【００１１】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１２】
【図１】実施の形態に係る携帯電話機の構成を示す図
【図２】実施の形態に係る携帯電話機において、テレビモードおよびメールモードの画面表示例を示す図
【図３】実施の形態に係る携帯電話機の回路構成を示すブロック図
【図４】実施の形態に係る携帯電話機において、キー操作無効処理の動作を説明するためのフローチャート
【図５】実施の形態に係る携帯電話機において、メールモードでキー操作無効の操作が行われたときの画面表示例を示す図
【図６】実施の形態に係る携帯電話機において、他のキー操作無効理の動作を説明するためのフローチャート
【図７】実施の形態に係る携帯電話機において、他のキー操作無効処理に用いる設定テーブルの構成を示す図
【図８】実施の形態に係る携帯電話機において、電話モードでキー操作無効の操作が行われたときの画面表示例を示す図
【図９】実施の形態に係る携帯電話機において、テレビモードでキー操作無効の操作が行われたときの画面表示例を示す図
【発明を実施するための形態】
【００１３】
以下、本発明の実施形態につき図面を参照して説明する。
【００１４】
図１は、本発明の一実施形態である携帯電話機の構成を示す図である。同図（ａ）、（ｂ）、（ｃ）はそれぞれ、携帯電話機の正面図、右側面図、背面図である。
【００１５】
図１を参照して、本実施の形態の携帯電話機は、その外郭を構成するキャビネット１を備える。キャビネット１は、正面視で縦長矩形状を有する。キャビネット１の正面には、ほぼ全面に亘ってディスプレイ面２が配されている。ディスプレイ面２は、キャビネット１と同様、縦長矩形状を有している。
【００１６】
ディスプレイ面２は、液晶パネル３により構成されている。液晶パネル３の前方には、タッチパネル４が配されている。タッチパネル４は、ユーザに押されたディスプレイ面２上の位置を検出し、その位置に応じた信号（位置信号）を出力する。タッチパネル４の前方には、保護パネル５が配されている。保護パネル５は、タッチパネル４が傷つかないよう保護するものである。保護パネル５の表面には、その下部領域に、縦溝５ａおよび横溝５ｂが格子状に形成されている。これら溝５ａ、５ｂで囲まれた四角領域Ｓに機能を示す文字や記号が表示されると、この四角領域Ｓが、種々の操作を行うための１つの操作キー（ソフトキー）となる。なお、後述の操作領域Ｒ２が四角領域Ｓのない領域にまで設定されている場合、四角領域Ｓのない領域では、たとえば、機能の文字を四角い線で囲むなど、隣の機能との境界が分かるような操作キーの表示がなされる。
【００１７】
ディスプレイ面２には、水平方向に延びるバー６が表示される。バー６はディスプレイ面２の表示領域を上下２つの画面領域に区切る。バー６より上の領域がコンテンツ領域Ｒ１となり、下の領域が操作領域Ｒ２となる。コンテンツ領域Ｒ１には、テレビ映像や写真、テキストなどの各種コンテンツが表示される。また、操作領域Ｒ２には、種々の操作キーが表示される。バー６は、ジョグダイヤル７の操作により、表示領域内を上下に移動させることができる。
【００１８】
ジョグダイヤル７は、キャビネット１背面の中央部に設けられており、上下方向に回転する。ジョグダイヤル７が上方向に回転すると、バー６が上方に移動し、ジョグダイヤル７が下方向に回転すると、バー６が下方に移動する。また、ジョグダイヤル７は、前後方向にも動き、押しボタンとしても機能する。
【００１９】
ジョグダイヤル７の左右には、それぞれ、Ｒボタン８とＬボタン９が配されている。これらＲボタン８およびＬボタン９により、一定の処理を行うための操作を行うことができる。
【００２０】
キャビネット１の内部には、その上部にカメラモジュール１０が配されている。このカメラモジュール１０の撮像レンズ１０ａとフラッシュ部１０ｂとがキャビネット１の背面から外部に臨んでいる。
【００２１】
この携帯電話機では、バー６を所定の位置に固定することにより、各種の機能モード（電話モード、メールモード、テレビモード、ミュージックモード、インターネットモード、カメラモードなど）の画像への切替えを行うことができる。
【００２２】
このため、ディスプレイ面２には、上下方向に複数の固定位置（たとえば、Ｌ１〜Ｌ６）が設定されている。たとえば、ユーザが、ジョグダイヤル７を操作して、バー６を固定位置Ｌ５に移動させ、バー６が固定位置Ｌ５にある状態でジョグダイヤル７を短い時間押すと（短押しすると）、テレビモードの画像が表示される。さらに、バー６を固定位置Ｌ６に移動させてジョグダイヤル７を短押しすると、テレビモードの画像からメールモードの画像に切り替わる。これら機能モードの画像において、切替当初のバー６の位置がコンテンツ領域Ｒ１と操作領域Ｒ２との境界ＢＬとなる。
【００２３】
図２（ａ）は、テレビモードにおける画面表示例を示す。また、同図（ｂ）は、メールモードにおける画面表示例を示す。テレビモードにおいては、図７（ａ）に示すように、映像コンテンツがコンテンツ領域Ｒ１に表示され、映像表示に関連する操作のための複数の操作キーが操作領域Ｒ２に表示される。また、メールモードにおいては、同図（ｂ）に示すように、入力された文字などがコンテンツ領域Ｒ１に表示され、メールの入力や送受信のための操作キーが操作領域Ｒ２に表示される。
【００２４】
図３は、本実施の形態に係る携帯電話機の回路構成を示すブロック図である。携帯電話機は、図１により説明した構成部品の他、ＣＰＵ１００、ＴＶモジュール２００、マイク３００、パネルスピーカ４００、通信処理部５００、液晶表示器６００、メモリ７００、バッテリー８００、電源部９００を備える。
【００２５】
ＴＶモジュール２００は、ＴＶチューナなどを含み、アンテナ２１０を介して受信した地上デジタル放送波、地上アナログ放送波などの電波を映像信号に変換してＣＰＵ１００に送る。
【００２６】
カメラモジュール１０は、上記撮像レンズ１０ａおよびフラッシュ部１０ｂの他、撮像素子１０ｃを含む。撮像レンズ１０ａは、被写体の像を撮像素子１０ｃ上に結像させる。撮像素子１０ｃは、例えばＣＣＤからなり、取り込んだ画像に応じた撮像信号を生成し、ＣＰＵ１００へ送る。
【００２７】
マイク３００は、音声信号を電気信号に変換してＣＰＵ１００へ送る。パネルスピーカ４００は、ＣＰＵ１００からの音声信号を音声として再生する。
【００２８】
通信処理部５００は、ＣＰＵ１００からの音声信号や画像信号、テキスト信号などを無線信号に変換し、アンテナ５１０を介して基地局へ送信するとともに、アンテナ５１０を介して受信した無線信号を音声信号や画像信号、テキスト信号などに変換してＣＰＵ１００へ送る。
【００２９】
液晶表示器６００は、上記液晶パネル３と、液晶パネル３の光源となるバックライト装置（図示せず）を備え、ＣＰＵ１００からの駆動信号によって、液晶パネル３上に画像を表示する。
【００３０】
メモリ７００は、ＲＯＭ（ReadOnly Memory）とＲＡＭ（Random Access Memory）を備えている。このうち、ＲＯＭには、ＣＰＵ１００を動作させるための制御プログラムや当該制御プログラムにおいて参照するテーブル情報等が格納されている。たとえば、テーブル情報として、上記バー６の固定位置と機能モードとを関連付けたテーブルが記憶されている。さらに、ＲＯＭには、後述する第１設定テーブルおよび第２設定テーブルが記憶されている。
【００３１】
また、ＲＡＭには、カメラモジュール１０で撮影した画像データや通信処理部５００を介して外部から取り込んだ画像データ、テキストデータ（メールデータ）などが所定のファイル形式で保存される。この他、ＲＡＭには、ＴＶモジュール２００や通信処理部５００により外部から取得した映像コンテンツ（テレビ番組、映画など）が保存される。
【００３２】
バッテリー８００は、ＣＰＵ１００やＣＰＵ１００以外の携帯電話機の各部へ電力を供給するためのものであり、二次電池からなる。バッテリー８００は、電源部９００に接続されている。
【００３３】
電源部９００は、バッテリー８００の電圧を前記各構成部に必要な大きさの電圧に変換して各構成部に供給する。また、電源部９００は、外部電源の入力部（図示せず）を介して供給された電力をバッテリー８００に供給して、バッテリー８００を充電する。電源部９００には、電圧検出部９１０が設けられている。電圧検出部９１０は、バッテリー８００の電圧を検出して、ＣＰＵ１００へ送る。
【００３４】
ＣＰＵ１００は、メモリ７００（ＲＯＭ）に格納された制御プログラムおよびテーブル情報に従って各部を制御する。たとえば、ＣＰＵ１００は、タッチパネル４、ジョグダイヤル７、Ｒボタン８、Ｌボタン９、マイク３００、撮像素子１０ｃなどからの入力信号に基づいて、パネルスピーカ４００、液晶表示器６００などに制御信号を出力し、これにより、各種機能モードにおける処理を実行する。また、ＣＰＵ１００は、電圧検出部９１０からの電圧信号に基づいて、バッテリー８００の残量を判断する。さらに、ＣＰＵ１００は、各種機能モードにおいて、液晶表示器６００に種々の画像を表示させるための処理を行う。
【００３５】
なお、上記制御プログラムによってＣＰＵ１００に付与される制御処理機能のうち、液晶表示器６００に対する処理機能（表示処理機能）を、特に、“表示制御部１１０”と称し、便宜上、図３のＣＰＵ１００内に図示することとする。
【００３６】
表示制御部１１０は、ＣＰＵ１００内に用意された作業エリアとなるメモリ（図示せず）内で、液晶表示器６００に表示する画像を生成し、生成した画像を表示させるための画像信号（ＲＧＢ信号）を液晶表示器６００に出力する。また、表示制御部１１０は、撮像素子１０ｃから送られてきた画像データ、メモリ７００内に保存された画像データ、ＴＶモジュール２００や通信処理部５００を介して受信した画像データ（映像コンテンツ）などを取り込む。そして、取り込んだ画像データから画像信号（ＲＧＢ信号）を生成し、生成した画像信号を液晶表示器６００に出力する。液晶表示器６００の液晶パネル３、すなわちディスプレイ面２には、画像信号に応じた画像（映像）が表示される。
【００３７】
なお、上述のように、ジョグダイヤル７が操作された場合には、ＣＰＵ１００内において、その操作量が判断される。そして、これに基づいて表示制御部１１０から画像信号が送られることによって、ディスプレイ面２に表示されたバー６が、その操作量分だけ移動する。
【００３８】
さて、本実施の形態の携帯電話機では、主に、操作領域Ｒ２に配されたタッチパネル式の操作キーにより、各種の操作が行われる。タッチパネル４は、弱い押圧にも反応するため、利用者の意図しない操作を受け付けやすい。このため、たとえば、文字入力キーにてメール文章を入力しているときに、ユーザの指が文字入力キーに隣接する他の操作キーに触れてしまい、他の処理が行われてしまう惧れがある。また、携帯電話機をポケットやカバンに入れているときに、何かが操作キーに触れ、誤作動してしまう惧れがある。
【００３９】
そこで、本実施の形態では、ユーザの操作に応じて操作キーの操作を無効化するキー操作無効処理を実行することにより、ユーザの意図しない操作による機器の誤作動を防止するようにしている。
【００４０】
図４は、キー操作無効処理の動作を説明するためのフローチャートである。また、図５は、メールモードにおいてキー操作無効の操作が行われたときの画面表示例を示す図である。
【００４１】
図４および図５に基づいて、その動作を説明する。上述のように、ジョグダイヤル７を操作することによって所定の機能モードに切替えられると、表示制御部１１０からの画像信号に基づいて、ディスプレイ面２に切替えられた機能モードの画像が表示される（Ｓ１）。たとえば、メールモードの場合、先に示した図２（ｂ）に示す画像が表示される。バー６は、画像が表示された当初、コンテンツ領域Ｒ１と操作領域Ｒ２との境界ＢＬに位置する（図２（ｂ）参照）。
【００４２】
ユーザよってジョグダイヤル７が操作され、これにより、バー６が境界ＢＬから操作領域Ｒ２内の所定の位置まで移動すると、ＣＰＵ１００は、バー６の位置が移動したと判断する（Ｓ２：ＹＥＳ）。そして、ＣＰＵ１００は、バー６の新たな位置を検出し、バー６と境界ＢＬとの間（キー無効領域）に位置する操作キーに対する操作を無効化する設定を行う（Ｓ３）。
【００４３】
たとえば、図５（ａ）に示すように、バー６が送信キーＫ１と文字入力キーＫ２との間に位置する場合には、送信キーＫ１など、文字入力キーＫ２よりも上の操作キーは無効となり、文字入力キーＫ２は有効となる。これにより、ユーザは、文字入力キーＫ２によってメール文書を入力することができる。このため、文字入力の際に、たとえば、ユーザが「あ」の文字入力キーＫ２を押そうとし、誤ってその上の送信キーＫ１に触れても、誤ってメールが送信されるようなことがない。
【００４４】
なお、図５（ｂ）に示すように、バー６が操作領域Ｒ２の最下部まで移動したときには、操作領域Ｒ２全体がキー無効領域となり、全ての操作キーが無効となる。ここで、バー６が１６個の文字入力キーＫ２の配置領域の途中に位置するときには、キー無効領域にある文字入力キーＫ２だけが無効になる。しかしながら、文字入力キーＫ２の一部を無効にしてもあまり意味がない。よって、文字入力キーＫ２の一部がキー無効領域になった場合には、全ての文字入力キーＫ２が無効となるようにしてもよい。あるいは、全ての文字入力キーＫ２がキー無効領域となったことに応じて、全ての文字入力キーＫ２が無効になるようにしてもよい。すなわち、同じ機能の操作キーがまとまって配列されている場合には、まとめて無効にすることが望ましい。
【００４５】
次に、ＣＰＵ１００は、バー６の移動を禁止する操作がなされたか否かを判断する（Ｓ４）。ユーザは、たとえば、ジョグダイヤル７を長い時間押すこと（長押し）によって、このような移動禁止の操作を行うことができる。ＣＰＵ１００は、バー６の移動禁止操作がなされたと判断すると（Ｓ４：ＹＥＳ）、ジョグダイヤル７の操作によるバー６の移動を禁止する設定を行う（Ｓ６）。この設定に基づき、表示制御部１１０は、ジョグダイヤル７が操作されても、表示領域内でバー６が動かないようにする。これにより、たとえば、ユーザが、カバンやポケットなどに携帯電話機をしまうとき、全ての操作キーを無効にした状態で、バー６の移動を禁止する操作を行えば、カバンやポケットなどの中でジョグダイヤル７が不用意に動いても操作キーの無効範囲が変わってしまうことがなく、機器の誤作動が防止される。
【００４６】
次に、バー６の移動禁止操作がなされず（Ｓ４：ＮＯ）、上述のようにジョグダイヤル７の短押しによるモード切替操作がなされると（Ｓ６：ＹＥＳ）、ＣＰＵ１００は、このときのバー６の位置に応じた機能モードへ画像を切替える設定を行う（Ｓ７）。これにより、表示制御部１１０からの画像信号に基づいて、新たな機能モードの画像がディスプレイ面２に表示される。
【００４７】
以上、本実施の形態では、コンテンツ領域Ｒ１と操作領域Ｒ２の間の境界ＢＫと、バー６とによって、操作キーの無効領域が規定され、無効領域内の操作キーの操作のみが無効かされる。したがって、ユーザは、そのときの操作に不要な操作キーを無効とし、必要な操作キーについては有効なままにできるので、意図しない操作による誤作動を防止しつつ、必要な操作を円滑に行うことができる。
【００４８】
また、本実施の形態によれば、バー６の移動操作をするだけで、所望の操作キーの無効操作が行えるので、キーの無効化操作を簡便に行うことができる。
【００４９】
さらに、本実施の形態によれば、ユーザの操作によってバー６の移動を禁止することができるので、誤ってバー６が移動する操作がなされても、バー６が移動しない。
よって、たとえば、全てのキーを無効化した状態で、ポケットやカバン内で不所望にジョグダイヤル７が操作されても、キーが有効な状態に復帰することはなく、不所望な操作による誤動作を円滑に回避することができる。
【００５０】
以上、本発明の実施形態について説明したが、本発明はこれに限定されるものではなく、また、本発明の実施形態も、特許請求の範囲に示された技術的思想の範囲内において、適宜、種々の変更が可能である。たとえば、以下のように変更され得る。
【００５１】
すなわち、以下に説明するように、１つの操作キーが複数の機能の実行に利用される場合には、その操作キーが無効操作されても、一部の機能についてはその操作キーによる操作が有効となる（操作に基づく一部の機能が実行される）構成とされてもよい。また、操作キーの無効操作が行われると、その操作キーに関連づけられた機能の設定が変更される構成とされてもよい。
【００５２】
図６は、他のキー操作無効処理の動作を説明するためのフローチャートである。また、図７は、他のキー操作無効処理に用いる設定テーブルの構成を示す図である。さらに、図８は、電話モードにおいてキー操作無効の操作が行われたときの画面表示例を示す図である。
【００５３】
図６ないし図８に基づいて、その動作を説明する。上記実施の形態と同様、ディスプレイ面２に所定の機能モードの画像が表示されると（Ｓ１１）、ＣＰＵ１００は、バー６の位置が移動したか否かを判断する（Ｓ１２）。バー６の位置が移動したと判断すると（Ｓ１２：ＹＥＳ）、ＣＰＵ１００は、バー６の新たな位置を検出し、バー６と境界ＢＬとの間に位置する操作キーの無効操作を、メモリ７００内に格納された第１設定テーブルに従って実行する（Ｓ１３）。
【００５４】
たとえば、図８（ａ）に示すように、電話モードにおいて、バー６が通話開始キーＫ３とテンキーＫ４との間に位置する場合には、通話開始キーＫ３や通話終了キーＫ４など、テンキーＫ５よりも上の操作キーが無効化候補とされる。
【００５５】
第１設定テーブルには、図７（ａ）に示すように、機能モードごとに、操作キーが無効化候補とされたときに、操作キーに割当てられた機能を有効とするか無効とするかの設定がなされている。１つの操作キーに１つの機能のみが割当てられている場合には、その機能が無効となる。一方、１つの操作キーに２つ以上の機能が割当てられている場合には、機能によっては有効に設定されるものもある。たとえば、電話モードにおいて、通話開始キーＫ３が無効化候補とされた場合、通話開始キーＫ３の操作に対し、電話を掛ける発呼機能は無効にされ、電話を受ける着呼機能は有効とされる。
【００５６】
ＣＰＵ１００は、また、メモリ７００に格納された第２設定テーブルに従って、所定の機能の設定を変更する（Ｓ１４）。すなわち、第２設定テーブルには、図７（ｂ）に示すように、操作キーが無効化候補とされたときに、それに応じて所定の機能の設定をどのように変更するかが規定されている。たとえば、上述のように、通話開始キーＫ３が無効化候補とされると、エニーアンサー機能を無効にする設定がなされている。また、通話開始キーＫ３以外による発呼機能を無効にする設定がなされている。なお、エニーアンサー機能とは、相手からの着信があったときにいずれの操作キーを押しても通話が開始される機能である。
【００５７】
こうして、図８（ａ）に示すようにキー無効領域が設定されている場合、ユーザは、通話開始キーＫ３を操作しても電話を掛けることができなくなる。一方、電話が掛かってきたときには、通話開始キーＫ３の操作によって電話を受けることができる。これにより、通話開始キーＫ３の操作が無効にされていても、着信時に、無効解除の操作を行うことなく、電話に出ることができる。
【００５８】
また、予めエニーアンサー機能が設定されていても、この機能が無効になるため、通話開始キーＫ３以外の操作キー（たとえば、操作が有効であるテンキーＫ５）を操作しても電話を受けることができなくなる。これにより、携帯電話機がカバンなどに入れられていても、着信時に、衝撃などにより不用意に通話開始の操作がされてしまうことが起こりにくくなり、間違って通話状態となることが防止できる。さらに、通話開始キーＫ３以外による発呼機能も無効にされているため、通話開始キーＫ３と異なる操作キー（たとえば、電話帳機能）からも、電話を掛けることができなくなる。
【００５９】
この他、この状態においては、通話終了キーＫ４など、キー無効領域にある操作キーについての操作が、全て受け付けられなくなる（操作キーに基づく機能が実行されなくなる）。
【００６０】
なお、図８（ｂ）に示すように、バー６が操作領域Ｒ２の最下部まで移動され、操作領域Ｒ２全体がキー無効領域に設定された場合には、テンキーＫ５の操作も全て受け付けられなくなる。
【００６１】
次に、このように操作キーの無効操作がなされた状態で、上記実施の形態と同様に、バー６の移動禁止操作がなされれば（Ｓ１５：ＹＥＳ）、ＣＰＵ１００は、バー６の移動を禁止する設定を行う（Ｓ１６）。また、モード切替操作がなされれば（Ｓ１７：ＹＥＳ）、ＣＰＵ１００は、バー６の位置に基づく新たな機能モードの画像に切替える（Ｓ１８）。
【００６２】
図９は、テレビモードにおいてキー操作を無効化する操作が行われたときの画面表示例を示す図である。テレビモードとして、同図（ａ）に示すように、コンテンツ領域Ｒ１が小さく、テレビ映像が縦向きに小さく表示されるノーマルモードと、同図（ｂ）に示すように、コンテンツ領域Ｒ１が大きく、テレビ映像が横向きに大きく表示されるワイドモードとが用意されている。
【００６３】
ノーマルモードの画像においては、たとえば、操作領域Ｒ２に、チャンネル選択機能を有する２種類の操作キーが表示されている。１つは、チャンネル送りキーＫ６であり、番号を大きくしていく送りキーと小さくしていく送りキーとである。このチャンネル送りキーＫ６を操作することによって、チャンネルが順次送られていく。もう１つは、チャンネル番号キーＫ７であり、代表的なチャンネルに対応する６個の番号キーである。チャンネル番号キーＫ７を押すことによって、直接、その番号のチャンネルが選択できる。
【００６４】
このノーマルモードの画像において、図９（ａ）に示すように、バー６がチャンネル送りキーＫ６の下に移動された場合には、チャンネル送りキーＫ６に対する操作が無効になる。このとき、上述した第２設定テーブルに、チャンネル送りキーＫ６が無効化候補とされると、チャンネル番号キーＫ７によるチャンネル選択機能が無効になる設定がなされていると、このようにバー６がチャンネル送りキーＫ６の下に移動されることにより、チャンネル番号キーＫ７の操作も無効になる。こうにすれば、チャンネル番号キーＫ７の下までバー６を移動させずとも、チャンネル選択を行えない状態に設定することができる。よって、同図のように、チャンネル送りキーＫ６とチャンネル番号キーＫ７とが離れて配置されていて、これら操作キーの間に他の操作キー、ここではボリュームキーＫ８が配置されていても、この操作キーの操作が無効にされずにすむ。
【００６５】
次に、図９（ｂ）に示すワイドモードの画像において、ボリュームキーＫ８がキー無効領域に入った場合、ボリュームキーＫ８の操作が無効になる。このとき、第２設定テーブルに、ボリュームキーＫ８が無効化候補とされると、音声出力機能が無効になる、すなわち音声が消される設定がされていると、このようにバー６を移動させることにより、音声出力が中止される。こうすれば、音量は元の状態に維持したまま、必要に応じて簡単に音声を消すことができる。
【００６６】
なお、図９（ａ）の例では、チャンネル送りキーＫ６の操作が無効になるとチャンネル番号キーＫ７の操作が無効になるようにしたが、これらの操作キーが上下逆に配置されている場合には、チャンネル番号キーＫ７の操作が無効になるとチャンネル送りキーＫ６の操作が無効になるようにしてもよい。また、ボリュームキーＫ８の操作が無効になったときには、予め定めた一定の音量になるようにしてもよい。
【００６７】
その他、上記の実施形態では、バー６をジョグダイヤル７によって操作するようにしているが、これに限らず、タッチパネル４の操作によってバー６を移動させるようにしてもよい。この場合、ユーザは、バー６の位置に指で触れ、その状態で指を上下させることにより、バー６を上下に移動させることができる。なお、バー６が操作キーの上を移動するときには、操作キーが指で押された状態となる。そこで、バー６が移動しているときには、操作キーの操作を無効にすることにより、操作キーが間違って受け付けられるのを防止できる。
【００６８】
また、上記の実施形態では、ジョグダイヤル７を短押しあるいは長押しすることで、モードの切替とバー６の移動禁止を設定できるようにしたが、ジョグダイヤル７の押圧時間に関係なく、単にバー６がどの位置にあるかに応じて、モードの切替とバー６の移動禁止を設定するようにしてもよい。具体的には、バー６が操作領域Ｒ２の最下部にあるときにジョグダイヤル７を押すとバー６の移動が禁止され、バー６が操作領域Ｒ２の途中の位置（固定位置）にあるときにジョグダイヤル７を押すとモードの切替が行われるようにしても良い。
【００６９】
一般に、バー６の移動が禁止されるのは、携帯電話機を使用しない場合が多く、この場合には、全ての操作キーが無効化されることが多い。よって、多くの場合は、バー６が操作領域Ｒ２の最下部にあるときにその移動を禁止すれば、目的が達成されると考えられる。他方、最下部はモードを切り替えるための固定位置ではないため、バー６が最下部にあるときはモードの切り替えを行い得ない。よって、モードの切り替えは、バー６が操作領域Ｒ２の途中の位置（固定位置）にあるときに行い得れば足りる。
【００７０】
このように、バー６の移動禁止はバー６が操作領域Ｒ２の最下部にあるときになされることが多く、また、モードの切り替えは、バー６が操作領域Ｒ２の途中の位置（固定位置）にあるときに必要となるものである。よって、上記のように、バー６が操作領域Ｒ２の最下部にあるときにジョグダイヤル７を押すとバー６の移動が禁止され、バー６が操作領域Ｒ２の途中の位置（固定位置）にあるときにジョグダイヤル７を押すとモードの切替が行われるようにしても、大半の場合は、ユーザのニーズに応えることができる。
【００７１】
こうすると、ジョグダイヤル７の押圧時間に応じて処理を切り替える必要が無いため、処理の簡素化を図ることができる。また、ユーザも、逐一、ジョグダイヤル７の押圧時間を気にする必要がないため、操作の簡便化を図ることができる。
【００７２】
さらに、メールモードにおいて、受信メールの一覧へ移行するための操作キーが無効にされた状態で、新規のメールが送られてきたときには、その操作キーを受け付けるようにしてもよい。このようにすれば、新規メールをすばやく確認することができる。
【００７３】
さらに、上記実施の形態では、バー６の移動操作、バー６の移動禁止操作、モード切替操作のための操作部が、全てジョグダイヤル７となっている。しかし、これに限らず、それぞれ異なる操作部としてもよい。たとえば、Ｒボタン８をモード切替操作の操作部とし、Ｌボタン９をバー６の移動禁止操作の操作部とする、などが考えられる。
【００７４】
さらに、上記実施の形態では、本発明の移動子を、ディスプレイ面２の横幅いっぱいに延びるバー６の画像としているが、これに限られるものではなく、たとえば、横方向の矢印の画像など、他の画像としてもよい。
【００７５】
なお、上記実施の形態では、キー無効化処理（図６）を実行するための制御プログラムとこれに用いるテーブル情報（図７）が、携帯電話機内のメモリ７００（ＲＯＭ）にプリインストールされていたが、これら制御プログラムとテーブル情報を、通信処理部５００を介して、ウェブサイトなどからダウンロードしてメモリ７００に格納するようにしてもよく、あるいは、これら制御プログラムとテーブル情報を保持したメモリカード等の記憶媒体を携帯電話機に装着することによって、これら制御プログラムとテーブル情報を携帯電話機に取り込ませるようにしても良い。
【００７６】
さらに、上記実施の形態では、メモリ７００（ＲＯＭ）に、バー６の固定位置と機能モードとを関連付けたテーブルが記憶され、モード切替操作の際にバー６の固定位置が変更されると、このテーブルに基づいて、対応する機能モードの画像へと表示画面が切替えられる構成としたが、たとえば、バー６の固定位置によってディスプレイ面２の全表示領域を２つの領域に区分したときの各領域の比率と機能モードとを関連付けたテーブルをメモリ７００に格納し、モード切替操作の際には、このテーブルに基づいて、対応する機能モードの画像へと表示画面が切替えられる構成としてもよい。
【００７７】
この他、本発明の実施形態は、特許請求の範囲に示された技術的思想の範囲内において、適宜、種々の変更が可能である。
【符号の説明】
【００７８】
２      ディスプレイ面
３      液晶パネル
６      バー
７      ジョグダイヤル
１００  ＣＰＵ
１１０  表示制御部
６００  液晶表示器
７００  記憶部
Ｒ１    コンテンツ領域
Ｒ２    操作領域
Ｋ１    送信キー
Ｋ２    文字入力キー
Ｋ３    通信開始キー
Ｋ４    通信終了キー
Ｋ５    テンキー
Ｋ６    チャンネル送りキー
Ｋ７    チャンネル番号キー
Ｋ８    ボリュームキー
【要約】
【課題】区分境界線が移動しているときに、間違った操作が受け付けられるのを防止できる表示機能付き携帯電子装置を提供する。
【解決手段】携帯電話機１は、各々の機能に対応する一つ以上の画像が表示可能な表示領域を含み、表示領域の第１サイドから第２サイドへの方向に移動可能であり表示領域を第１表示領域と第２表示領域とに区分する区分境界線を表示する液晶パネル３と、区分境界線の位置を変えるための第１ユーザ入力と画像の一つに対応する機能の一つを開始するための第２ユーザ入力とを受け付けるタッチパネル４と、第１ユーザ入力に応えて区分境界線を表示領域における新たな位置に移動可能であるとともに、区分境界線が一つ以上の画像のうちの何れか一つ以上の上を移動している間は、何れの前記機能も実行しないＣＰＵと、を備える。
【選択図】図１【図１】
0005625133.tif 000002
【図２】
0005625133.tif 000003
【図３】
0005625133.tif 000004
【図４】
0005625133.tif 000005
【図５】
0005625133.tif 000006
【図６】
0005625133.tif 000007
【図７】
0005625133.tif 000008
【図８】
0005625133.tif 000009
【図９】
0005625133.tif 000010